(57)【要約】【課題】ユーザの希望により警報音を法定規格に準じた第１の音圧と第１の音圧より大きな音圧である第２の音圧とから選択可能とした警報器を提供する。【解決手段】第１の音圧を設定した場合の電池寿命である第１の電池寿命と、大音圧を設定した場合の電池寿命である第２の電池寿命を設定し、ユーザが電池寿命を選択することで警報音の音圧を選択できるようにした。【選択図】図２
2014174652.tif 000002
【特許請求の範囲】
【請求項１】
電池を電源とし、
物理現象に基づく状態変化を検出する状態検出部と、
前記状態検出部の状態検出信号が入力される制御部と、
前記制御部に制御されて音響部より警報音を出力する警報音鳴動回路と、
を備えた警報器において、
前記警報音鳴動回路が鳴動する警報音を所定の音圧である第１の音圧と前記第１の音圧よりも大きな所定の音圧である第２の音圧とに切り替える音圧設定装置を備え、
前記第１の音圧を選択したとき第１の電池寿命が設定され、前記第２の音圧を選択したとき前記第１の電池寿命より短い第２の電池寿命が設定され、
前記第１の電池寿命と前記第２の電池寿命を選択する切り替えスイッチを備え、
前記切り替えスイッチの選択によって前記音圧設定装置の音圧を切り替えることを特徴とする警報器。
【請求項２】
電池を電源とし、
物理現象に基づく状態変化を検出する状態検出部と、
前記状態検出部の状態検出信号が入力される制御部と、
前記制御部に制御されて音響部より警報音を出力する警報音鳴動回路と、
を備えた警報器において、
前記警報音鳴動回路が鳴動する警報音を所定の音圧である第１の音圧と前記第１の音圧よりも大きな所定の音圧である第２の音圧とに切り替える音圧設定装置を備え、
前記第１の音圧を選択したとき第１の電池寿命が設定され、前記第２の音圧を選択したとき前記第１の電池寿命より短い第２の電池寿命が設定され、
前記第１の音圧と前記第２の音圧を選択する切り替えスイッチを備えることを特徴とする警報器。
【請求項３】
前記切り替えスイッチを切り替えると、前記制御部は、前記音響部より選択された音圧および／または電池寿命を報知させることを特徴とする請求項１または２に記載の警報器。
【発明の詳細な説明】
【技術分野】
【０００１】
本発明は、警報器に関し、特に電池を電源とする警報器の音圧制御に関するものである。
【背景技術】
【０００２】
従来、火災検出時や点検異常時（電池電圧低下時やセンサ異常時など）に警報音鳴動を行う警報音鳴動回路を備えた警報器が知られている。
この種の警報器においては、警報音鳴動回路は、警報音を増幅する増幅回路と、増幅された警報音を出力するブザーやスピーカなどの音響部とを備えている。そして、例えば住宅用火災警報器の場合、火災検出時には消防法の規格により７０ｄＢ以上の音圧で火災警報を出力する。また、最近では１０年を超える電池寿命を保証する製品が販売されている。（特許文献１参照）
【先行技術文献】
【特許文献】
【０００３】
【特許文献１】特開２０１１−１４０６３号公報
【発明の概要】
【発明が解決しようとする課題】
【０００４】
しかしながら、設置環境などの理由で警報音がユーザに聞き取りにくい場合があり、警報音の音圧を大きくすることを望まれる場合がある。
ところが、ユーザが警報音を調節できるようにした場合、警報音の音圧を上げると、それに比例して警報音鳴動時の消費電流が大きくなり、電池寿命が保証値よりも短くなる。一方で、ユーザが電池寿命を延ばすために、警報音の音圧を下げると消防法などの所定の規格値を下回ったり、実際にはユーザが警報音を聞き取り難くなっていたりする恐れがある。
【０００５】
本発明は、上記のような課題を解決するためになされたもので、ユーザが希望に応じて電池寿命と警報音の大きさを選択できる警報器を提供することを目的とする。
【課題を解決するための手段】
【０００６】
本発明に係る警報器は、電池を電源とし、物理現象に基づく状態変化を検出する状態検出部と、前記状態検出部の状態検出信号が入力される制御部と、前記制御部に制御されて音響部より警報音を出力する警報音鳴動回路と、を備えた警報器において、前記警報音鳴動回路が鳴動する警報音を所定の音圧である第１の音圧と前記第１の音圧よりも大きな所定の音圧である第２の音圧とに切り替える音圧設定装置を備え、前記第１の音圧を選択したとき第１の電池寿命が設定され、前記第２の音圧を選択したとき前記第１の電池寿命より短い第２の電池寿命が設定され、前記第１の電池寿命と前記第２の電池寿命を選択する切り替えスイッチを備え、前記切り替えスイッチの選択によって前記音圧設定装置の音圧を切り替えることを特徴とするものである。
【０００７】
また、本発明に係る警報器は、電池を電源とし、物理現象に基づく状態変化を検出する状態検出部と、前記状態検出部の状態検出信号が入力される制御部と、前記制御部に制御されて音響部より警報音を出力する警報音鳴動回路と、を備えた警報器において、前記警報音鳴動回路が鳴動する警報音を所定の音圧である第１の音圧と前記第１の音圧よりも大きな所定の音圧である第２の音圧とに切り替える音圧設定装置を備え、前記第１の音圧を選択したとき第１の電池寿命が設定され、前記第２の音圧を選択したとき前記第１の電池寿命より短い第２の電池寿命が設定され、前記第１の音圧と前記第２の音圧を選択する切り替えスイッチを備えることを特徴とするものである。
【発明の効果】
【０００８】
電池寿命を選択する切り替えスイッチにより、電池寿命を選択すると、それに伴って警報音の音圧が変化するので、一つの製品で、住人や設置場所の条件に合わせて通常の音圧・電池寿命とするか、電池寿命を通常より短くして大きな音圧とするかを選択することができる。
また、予め設定できる音圧と電池寿命を所定の値から選択するようにしているので、消防法などの所定の規格値を下回る設定をしてしまうこともなく、ユーザが設定によって音圧および／または電池寿命がどれぐらいになったか容易に把握することができる。
【図面の簡単な説明】
【０００９】
【図１】実施の形態１に係る火災警報器の構成を示すブロック図である。
【図２】実施の形態１に係る火災警報器における電池寿命設定と警報音鳴動時の音圧との関係を示した図である。
【発明を実施するための形態】
【００１０】
＜実施の形態１＞
以下、本実施の形態１では、電池で駆動する火災警報器に本発明を適用した場合を例に説明する。なお、一般的に火災警報器には熱式と煙式があるが、本願の場合、検知方法を問わずに実施が可能であるため、単に火災検出部（状態検出部に相当）として説明する。
火災警報器１は、火災検出部２と、制御部３と、警報音鳴動回路４と、スピーカ５（音響部に相当）と、音圧設定装置７と、電池８から構成されている。
【００１１】
電池８は、火災警報器１の各内部回路に電源供給を行う。例えば、定格電圧ＤＣ３．０Ｖの電池である。なお、電池１から供給される電圧は、図示しない定電圧回路によって、一定の電圧（例えば２．３Ｖ）として、各内部回路に供給される。
【００１２】
火災検出部２は、火災による状態変化を検出すると火災検出信号を出力する。火災検出部２が例えば煙式であれば火災により発生した煙を検出した場合に、熱式であれば火災により周囲温度が閾値を超えた場合、または、周囲温度の急激な上昇を検出した場合に、火災検出信号を出力する。
【００１３】
制御部３は、火災検出部２が出力した火災検出信号を受信すると、警報音鳴動回路４により音圧設定装置６で設定された音圧でスピーカ５から警報音を鳴動させる。
【００１４】
警報音鳴動回路４は音声データを記憶しており、制御部３からの指示に従ってスピーカ５から警報音を鳴動させる。
【００１５】
音圧設定装置６は、切り替えスイッチ７によって選択された電池寿命に基づいて、予め設定された第１の音圧と第１の音圧より大きな音圧である第２の音圧が選択、設定される。例えば７０ｄＢ（消防法による既定値）の音圧で警報音を鳴動させる第１の音圧と、例えば９０ｄＢの音圧で警報音を鳴動させる第２の音圧から音圧が選択される。
音圧を第２の音圧とした場合、第１の音圧と比較して警報音鳴動時の消費電流が大きくなり、また火災時や試験時に警報音を設定した音圧で鳴動させようとした場合、第１の音圧よりも電力消費量が多くなるため、電池寿命（電池電圧が所定値以下となるまでの期間）は短くなる。  
【００１６】
切り替えスイッチ７は、火災警報器１の内側に設けたディップスイッチであり、電池寿命を選択することができる。例えば第１の電池寿命としての１０年と、第２の電池寿命としての７年であり、第１の電池寿命を選択すると警報音は第１の音圧である７０ｄＢで鳴動する。第２の電池寿命を選択すると警報音は第２の音圧である９０ｄＢで鳴動する。
なお、設定した電池寿命は製造者が一般的な設置条件において、一般的な周期で定期試験を行った場合を想定して、設定音圧における電力消費量に基づいて設定される。
【００１７】
切り替えスイッチ７は、出荷時には第１の電池寿命側に設定されており、設置時に第２の電池寿命側に切り替えると、制御部３は警報音鳴動回路４の設定を第２の音圧設定とし、警報音鳴動回路４によりスピーカ５から例えば「大音量に設定されました。電池寿命は７年です。」とアナウンスさせる。このあと再び切り替えスイッチ７を第１の電池寿命側に切り替えると同様にスピーカ５から例えば「基本音量に設定されました。電池寿命は１０年です。」とアナウンスされる。
【００１８】
次に、火災警報器１が火災を検出した際の動作について説明する。ここでは、図２の動作フローチャートにおいて、切り替えスイッチ７を第２の電池寿命（第２の音圧）側に設定した場合について説明する。
【００１９】
火災が発生し、火災検出部２が火災による状態変化を検出すると火災検出信号を制御部３に送信する。火災検出信号を受信した制御部３は警報音鳴動回路４によりスピーカ５から警報音を鳴動させる。このとき切り替えスイッチ７が第２の電池寿命（第２の音圧）側に設定されているので、９０ｄＢの音圧で例えば「ヒュー、ヒュー、火事です、火事です。」と音声によって火災発生を報知する。
【００２０】
次に、試験時の動作について説明する。試験は、図示しない点検ボタンを押下して行う。
【００２１】
点検ボタンが押下されると、制御部３は、警報音鳴動回路４によりスピーカ５から警報音を鳴動させる。このとき切り替えスイッチ７が第２の電池寿命（第２の音圧）側に設定されているので、９０ｄＢの音圧で例えば「ヒュー、ヒュー、火事です、火事です。」と音声を鳴動させる。
以上の動作の説明では、切り替えスイッチ７を第２の電池寿命（第２の音圧）側に設定した場合について説明したが、切り替えスイッチ７が第１の電池寿命（第１の音圧）側に設定されている場合には、警報音が７０ｄＢの音圧で鳴動する以外は上記と同様の動作を行う。
【００２２】
＜実施の形態２＞
本実施の形態２に係る火災警報器は、実施の形態１の切り替えスイッチ７に換えて切り替えスイッチ７１としたものであり、実施の形態１との相違点について説明する。
実施の形態１の切り替えスイッチ７は、ユーザが電池寿命を選択するものであったが、実施の形態２の切り替えスイッチ７１は、ユーザが音圧を選択するものである。第１の音圧と第２の音圧から音圧を設定すると、音圧設定装置６には選択された音圧が設定される。  
【００２３】
切り替えスイッチ７１が第１の音圧側に設定されると、スピーカ５から例えば「基本音量に設定されました。電池寿命は１０年です。」とアナウンスされ、第２の音圧側に設定されると、スピーカ５から例えば「大音量に設定されました。電池寿命は７年です。」とアナウンスされる。
【００２４】
なお、実施の形態１、２では、試験時であっても火災時と同様の音声を鳴動させるようにしたが、これに限定するものではなく、例えば「火災警報器の試験です。」というように、試験であると分かるように音声を鳴動させても良い。
また、試験時は切り替えスイッチ７（７１）が、第２の電池寿命側（第２の音圧側）に設定されていても、第１の音圧（基本音量）で警報音を鳴動させ、電池寿命を延ばすようにしてもよい。
【００２５】
また、実施の形態１、２では、選択可能な電池寿命を第１の音圧と第２の音圧の２種類としたが、これに限定するものではなく、設定できる電池寿命を３種類以上としてもよい。このときには、設定する電池寿命に応じて音圧も設定される。
【００２６】
また、切り替えスイッチ７および切り替えスイッチ７１は、火災警報器１の内側に設けられたディップスイッチとしているが、これに限定するものではなく、例えば火災警報器１の外側の設置後に隠れる場所としてもよいし、ユーザが操作できない位置としてもよく、スイッチも押しボタンスイッチとしてもよい。切り替えスイッチをユーザに操作できない位置とする場合は、例えば出荷前に切り替えスイッチを設定し、電池寿命と警報音の音圧をパッケージ等に表示して販売し、ユーザが選択して購入できるようにする。
【００２７】
また、切り替えスイッチ７および切り替えスイッチ７１は、機械的なスイッチに限定するものではなく、例えば、複数の音圧設定を記憶した記憶部を備え、所定の音圧を設定することにより、電池寿命と警報音の音圧を切り替えるようにしてもよい。この場合、制御部３から音圧設定装置６に信号を送るための信号線を設け、製造時に外部設定器を用いて切り替え作業を行う。この場合、切り替えスイッチ７および切り替えスイッチ７１は不要となり、ユーザによる切替は行えず、設定済みの製品から選択して購入することとなる。
【００２８】
また、本実施の形態１、２は、火災警報器について説明しているが、これに限定するものではなく、電池を電源として周囲の状態変化を検出して警報するものであればよく、例えば、ガス漏れ警報器などに適用してもよい。
【符号の説明】
【００２９】
１  火災警報器、２  火災検出部、３  制御部、４  警報音鳴動回路、５  スピーカ、６  音圧設定装置、７、７１  切り替えスイッチ、８  電池
【図１】
2014174652.tif 000003
【図２】
2014174652.tif 000004